(57)【特許請求の範囲】
【請求項１】
一対の支持具の間に架け渡された物干し竿に支持されている洗濯物の上方及び側方をそれぞれ覆う上方カバー部及び側方カバー部を備え、これら上方カバー部及び側方カバー部で洗濯物を降雨から保護できるように形成された物干し用カバーであって、
前記物干し竿を支持する前記一対の支持具のそれぞれに固定される一対の端部プレートと、
これら一対の端部プレートの幅方向における両側の端部同士をそれぞれ連結するとともに、前記側方カバー部を吊り下げて支持することが可能となっている一対の連結棒と、
前記一対の端部プレートの各々には、前記物干し竿を挿通させる竿挿通孔と、細長い紐状に形成された線条固定具を内部に挿通させるための孔であって、少なくとも前記竿挿通孔の周囲を囲むように密集して配置された多数の固定具挿通孔とが設けられ、
前記一対の端部プレートの各々は、前記多数の固定具挿通孔のうち、前記支持具への固定に利用できる固定具挿通孔が選択され、選択された固定具挿通孔に挿通された線条固定具によって前記支持具に固定され、
前記一対の連結棒の間を覆うように、前記上方カバー部が設けられ、
前記一対の連結棒の少なくとも一方に前記側方カバー部が吊り下げられていることを特徴とする物干し用カバー。
【請求項２】
前記側方カバー部は、それぞれが略水平方向に延びる細長い薄板状に形成された複数のスラットを備え、これらのスラットが互いに隙間を空けて上下に配列されるものであり、
前記スラットは、互いに対向して配置されている一対の側壁部と、これら一対の側壁部の間に配置されるとともに、これらの側壁部を互いに連結する複数のリブ部とを有する中空の部材であり、且つ、幅方向の途中に曲がり部分が形成された形状の幅方向断面を有する部材であることを特徴とする請求項１記載の物干し用カバー。
【請求項３】
前記側方カバー部として、前記支持用端部プレートと前記中間プレートとの間に複数配列可能となるように分割されたものが採用され、
これら複数の側方カバー部は、互いに回動可能に連結され、前記支持用端部プレート及び前記中間プレートの一方側に寄せて折り畳み可能、且つ、前記支持用端部プレート及び前記中間プレートの一方から他方まで広がった状態に展開可能となっていることを特徴とする請求項２記載の物干し用カバー。
【請求項４】
前記一対の端部プレートの各々は、前記物干し竿を挿通させる竿挿通孔を備え、この竿挿通孔に挿通された前記物干し竿に当該端部プレートに加わる荷重を支持させるものとなっており、
前記連結棒として、長手方向に伸縮可能となっているとともに、その長手方向に沿って摺動可能に設けられた複数のランナー部を備えたカーテンレールが採用され、
前記側方カバー部は、前記複数のランナー部を介して前記連結棒に取り付けられ、前記連結棒の長手方向に沿って折り畳み可能となっていることを特徴とする請求項３記載の物干し用カバー。
【請求項５】
前記端部プレートの下端縁には、当該下端縁に沿って複数のランナー部を摺動可能に支持するカーテンレールが設けられ、このカーテンレールを介して前記側方カバー部が取付可能となっていることを特徴とする請求項４記載の物干し用カバー。
【請求項６】
前記上方カバー部は、その両側の端部が前記支持用端部プレート及び前記中間プレートのそれぞれから取り外し可能となっていることを特徴とする請求項１から請求項５までのいずれかに記載の物干し用カバー。
【請求項７】
前記側方カバー部は、前記複数のスラットが所定の間隔毎に結合されることにより、これらのスラットを吊り下げ支持している複数の支持コードと、前記複数のスラットのうち最下位置に配置されるスラットが端部に結合されている昇降コードと、この昇降コードの巻き取り動作及び送り出し動作が可能となった巻き取りリールとを備え、
前記複数のスラットは、前記巻き取りリールに前記昇降コードを巻き取ることにより、すべてのスラットが最上位置近傍まで上昇して最上位置近傍に巻き上げ可能とされ、この巻き上げ状態で、前記巻き取りリールから前記昇降コードを送り出すことにより、上昇させたスラットが下降して前記最下位置まで展開可能となっていることを特徴とする請求項２記載の物干し用カバー。
【発明の詳細な説明】
【技術分野】
【０００１】
本発明は、物干し竿に支持されている洗濯物を降雨から保護できるように形成された物干し用カバーに関する。
【背景技術】
【０００２】
従来から、雨が降っても洗濯物が濡れないように、洗濯物を降雨から保護するための物干し用カバーが知られている。このような物干し用カバーとしては、ポリ塩化ビニル等の合成樹脂製の透明シートを所定の形状に形成したもの、例えば、物干し器に吊り下げ状態で支持されている洗濯物の上方及び周囲を覆うことができるテント状に形成したものが知られている。このような物干し用カバーを利用すれば、雨が降っても、洗濯物が物干し用カバーに覆われて濡れないので、雨の日にも屋外で洗濯物を干すことができる。
しても、通風性の悪い合成樹脂製の透明シートで洗濯物を覆うので、内部が蒸れて洗濯物の乾きが遅いという問題がある。
【０００３】
このような問題を解決するために、ブラインド状のカバー部材を採用した物干し用カバーが提案されている。
すなわち、物干し用カバーは、透光性を有するとともに細長くて薄い板状の雨よけ片が複数上下方向に配列されているブラインド状のカバー部材を備えたものとなっている。カバー部材の雨よけ片は、等間隔に隙間を空けるとともに、屋外側に向かって下り勾配が形成されるように幅方向に傾斜させて配置されている。
そして、物干し用カバーを使用するにあたり、ブラインド状のカバー部材を軒先に吊し、このカバー部材の屋内側に洗濯物を配置し、屋外側に配置されたカバー部材で洗濯物を降雨等から保護するようになっている。
【０００４】
このような物干し用カバーによれば、屋外側に向かって下り勾配が形成された雨よけ片が雨水の進入を防止するので、充分な防雨性が得られ、洗濯物の降雨からの保護が充分図れるようになる。そのうえ、複数の雨よけ片の間から自由に空気が出入りできるので、通風性を充分確保できるようになる。しかも、雨よけ片が透光性を有しているので、雨よけ片を通じて日光を内部に取り入れることができるので、洗濯物の乾きを早くすることができる。
さらに、雨よけ片の表面に凹凸模様等を設けて透過光を散乱させるようにすれば、充分な目隠し効果が得られ、女性の下着等の洗濯物を人目にさらさすにすることができ、一人暮らしの女性の便宜を図ることもできる（例えば、特許文献１参照）。
【特許文献１】特開２００５−２５３５５２号
【発明の開示】
【発明が解決しようとする課題】
【０００５】
前述のような物干し用カバーでは、庇や軒がない場合には、物干し用カバーを取り付けることができないうえ、軒先等の高い位置にカバー部材を取り付けるにあたり、脚立等を利用して高い位置に登って取付作業を行う必要があるので、取り付けが面倒なうえ危険を伴うという問題がある。
また、前述のような物干し用カバーは、特に、一人暮らしの女性に需要があるにもかかわらず、女性一人では、軒先等の高い位置にカバー部材を取り付けることが非常に困難となるので、普及させることができない、という問題もある。
また、降雨に強風がともなう場合には、雨よけ片が風圧によって撓むと、雨よけ片同士の隙間が広がり、防雨性を維持できなくなるので、風圧によって撓まないように、雨よけ片の厚さ寸法を大きくして剛性を確保して、雨よけ片の撓みを防止する必要があるが、雨よけ片の厚さ寸法を大きくすると、物干し用カバーの重量が増え、これにより、軒天井等の高い位置への取り付けがさらに面倒になるという問題が発生する。
【０００６】
そこで、各請求項にそれぞれ記載された各発明は、上記した背景技術の有する問題点に鑑みてなされたものであり、その目的とするところは、防雨性、通風性、透光性及び目隠し効果を確保しつつ、取り付けが容易に行える物干し用カバーを提供することである。
【課題を解決するための手段】
【０００７】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
（請求項１）
（特徴点）
請求項１記載の発明は、次の点を特徴とする。
すなわち、請求項１に記載された発明は、一対の支持具(５)の間に架け渡された物干し竿(６)に支持されている洗濯物(３)の上方及び側方をそれぞれ覆う上方カバー部(20)及び側方カバー部(30)を備え、これら上方カバー部(20)及び側方カバー部(30)で洗濯物(３)を降雨から保護できるように形成された物干し用カバー(１)であって、前記物干し竿(６)を支持する前記一対の支持具(５)のそれぞれに固定される一対の端部プレート(10)と、これら一対の端部プレート(10)の幅方向における両側の端部同士をそれぞれ連結するとともに、前記側方カバー部(30)を吊り下げて支持することが可能となっている一対の連結棒(11)と、前記一対の端部プレート(10)の各々には、前記物干し竿(６)を挿通させる竿挿通孔(15)と、細長い紐状に形成された線条固定具(14)を内部に挿通させるための孔であって、少なくとも前記竿挿通孔(15)の周囲を囲むように密集して配置された多数の固定具挿通孔(13)とが設けられ、前記一対の端部プレート(10)の各々は、前記多数の固定具挿通孔(13)のうち、前記支持具(５)への固定に利用できる固定具挿通孔(13)が選択され、選択された固定具挿通孔(13)に挿通された線条固定具(14)によって前記支持具(５)に固定され、前記一対の連結棒(11)の間を覆うように、前記上方カバー部(20)が設けられ、前記一対の連結棒(11)の少なくとも一方に前記側方カバー部(30)が吊り下げられていることを特徴とする。
【０００８】
（請求項２）
（特徴点）
請求項２記載の発明は、前述した請求項１に記載の発明において、次の特徴点を備えているものである。
すなわち、請求項２記載の発明は、前記側方カバー部(30)として、それぞれが略水平方向に延びる細長い薄板状に形成された複数のスラット(32)を備え、これらのスラット(32)が互いに隙間を空けて上下に配列されるものであり、前記スラット(32)は、互いに対向して配置されている一対の側壁部(36)と、これら一対の側壁部(36)の間に配置されるとともに、これらの側壁部(36)を互いに連結する複数のリブ部(37)とを有する中空の部材であり、且つ、幅方向の途中に曲がり部分が形成された形状の幅方向断面を有する部材であることを特徴とする。
【０００９】
（請求項３）
（特徴点）
請求項３記載の発明は、前述した請求項２記載の発明において、次の特徴点を備えているものである。
すなわち、請求項３記載の発明は、前記側方カバー部(30)として、前記支持用端部プレート(10A) と前記中間プレート(12)との間に複数配列可能となるように分割されたものが採用され、これら複数の側方カバー部(30)は、互いに回動可能に連結され、前記支持用端部プレート(10A) 及び前記中間プレート(12)の一方側に寄せて折り畳み可能、且つ、前記支持用端部プレート(10A) 及び前記中間プレート(12)の一方から他方まで広がった状態に展開可能となっていることを特徴とするものである。
【００１０】
（請求項４）
（特徴点）
請求項４記載の発明は、前述した請求項３記載の発明において、次の特徴点を備えているものである。
すなわち、請求項４記載の発明は、前記一対の端部プレート(10)の各々として、前記物干し竿(６)を挿通させる竿挿通孔(15)を備え、この竿挿通孔(15)に挿通された前記物干し竿(６)に当該端部プレート(10)に加わる荷重を支持させるものが採用され、前記連結棒(11)として、長手方向に伸縮可能となっているとともに、その長手方向に沿って摺動可能に設けられた複数のランナー部(19)を備えたカーテンレール(11)が採用され、前記側方カバー部(30)は、前記複数のランナー部(19)を介して前記連結棒(11)に取り付けられ、前記連結棒(11)の長手方向に沿って折り畳み可能となっていることを特徴とする。
【００１１】
（請求項５）
（特徴点）
請求項５記載の発明は、前述した請求項４記載の発明において、次の特徴点を備えているものである。
すなわち、請求項５記載の発明は、前記端部プレート(10)の下端縁に、当該下端縁に沿って複数のランナー部(19)を摺動可能に支持するカーテンレール(11)が設けられ、このカーテンレール(11)を介して前記側方カバー部(30)が取付可能となっていることを特徴とするものである。
【００１２】
（請求項６）
（特徴点）
請求項６記載の発明は、前述した請求項１から請求項５までにいずれかに記載の発明において、次の特徴点を備えているものである。
すなわち、請求項６記載の発明は、前記上方カバー部(20)の両側の端部が前記支持用端部プレート(10A) 及び前記中間プレート(12)のそれぞれから取り外し可能となっていることを特徴とする。
（請求項７）
（特徴点）
請求項７記載の発明は、前述した請求項２記載の発明において、次の特徴点を備えているものである。
【００１３】
すなわち、請求項７記載の発明は、前記側方カバー部(60)として、前記複数のスラット(62)が所定の間隔毎に結合されることにより、これらのスラット(62)を吊り下げ支持している複数の支持コード(64A) と、前記複数のスラット(62)のうち最下位置に配置されるスラット(62)が端部に結合されている昇降コード(64B) と、この昇降コード(64B) の巻き取り動作及び送り出し動作が可能となった巻き取りリール(65A) とを備えたものが採用され、前記複数のスラット(62)は、前記巻き取りリール(65A) に前記昇降コード(64B) を巻き取ることにより、すべてのスラット(62)が最上位置近傍まで上昇して最上位置近傍に巻き上げ可能とされ、この巻き上げ状態で、前記巻き取りリール(65A) から前記昇降コード(64B) を送り出すことにより、上昇させたスラット(62)が下降して前記最下位置まで展開可能となっていることを特徴とする。
【発明の効果】
【００１４】
（請求項１の効果）
以上のように構成されている本発明は、以下に記載されるような効果を奏する。
すなわち、請求項１記載の発明によれば、線条固定具を内部に挿通させるための固定具挿通孔として、少なくとも竿挿通孔の周囲を囲むように密集して配置されたものを多数設けたので、物干し竿を支持する支持具に端部プレートを固定するにあたり、多数の固定具挿通孔の中から、支持具に端部プレートを固定するのに相応しいものを適宜選択できる。ここで、支持具に端部プレートを固定するのに相応しい固定具挿通孔を複数選択し、選択した固定具挿通孔に線条固定具を挿通し、さらに、支持具に巻き付け、これにより、端部プレートの適宜な箇所（例えば、適宜な２箇所等）を支持具に固定すれば、端部プレートの片側に荷重が加わっても、端部プレートが傾いたりせず、端部プレートを支持具に充分強固、且つ、容易に固定することができる。そのうえ、端部プレートに多数の固定具挿通孔を設けたので、端部プレートの軽量化を図ることができ、しかも、物干し竿を支持する支持具は、女性でも手の届く高さレベルにあるので、端部プレートの支持具への固定作業は、女性でも容易に行うことができる。
【００１５】
そして、一対の支持具に端部プレートをそれぞれ固定することができれば、一対の連結棒を一対の端部プレートの間に架け渡して固定した後、一対の連結棒の間を上方カバー部で覆うとともに、一方の連結棒に側方カバー部を吊り下げれば、難しい作業を何ら行うことなく、物干し用カバーを取り付けが完了するので、女性でも物干し用カバーの組立作業及び取付作業を容易に行うことができる。
ここで、側方カバー部として、透光性を有するが不透明の合成樹脂製シートに、風圧で外側に開くフラップの付いた通風口が形成されたものを採用すれば、上方カバー部と側方カバー部とで洗濯物が覆われ、これにより、洗濯物が雨水に濡れることがなく、これにより防雨性が確保され、フラップの付いた通風口が雨水を通さずに風を通すようになり、これにより、通風性が確保され、また、側方カバー部を形成する合成樹脂製シートが透光性を有しており、さらに、この合成樹脂製シートが不透明なので視線を遮り、これにより、目隠し効果が確保される。
【００１６】
従って、本発明によれば、防雨性、通風性、透光性及び目隠し効果を確保しつつ、物干し用カバーの取り付けを容易にすることができ、以上により、前記目的が達成される。
（請求項２の効果）
請求項２記載の発明によれば、上記した請求項１記載の発明の効果に加え、次のような効果を奏する。
すなわち、請求項２記載の発明によれば、複数のリブ部で両側の側壁部を連結した中空の部材でスラットを形成し、且つ、スラットの幅方向断面を幅方向の途中に曲がり部分が形成された形状としたので、スラットは、高剛性であるにもかかわらず、非常に軽量なものとなる。
【００１７】
このような中空のスラットを複数支持枠体の内部に設けて、側方カバー部を形成するにあたり、スラット同士の間に隙間を設けて、複数のスラットを上下方向に配列し、且つ、屋外側に下る下り勾配を各スラットの表面に付けておけば、雨滴は、複数のスラットの間を通過することができないが、気流は、複数のスラットの間を通過することができ、これにより、良好な防雨性及び通風性を確保することができる。
また、内部にリブ部が設けられているスラットは、傾斜させることにより、内部のリブ部によって光が散乱されるので、表面に凹凸を設ける等により透明度を著しく低下させなくとも、充分な目隠し効果が得られる。これにより、スラットの表面に垂直に進入する光に対する透明度は充分に確保されるので、斜め上方から照射される太陽光を良く通すようになる。これにより、斜め上方から照射される太陽光に対する透光性が充分確保され、太陽光による洗濯物の乾燥効果が増強されるので、通風性と相俟って洗濯物の乾燥効果をさらに一層向上させることができる。
【００１８】
そのうえ、このような側方カバー部は、中空のスラットが非常に軽量で高い剛性を有しているので、支持枠体のみで剛性を確保する必要がなく、側方カバー部全体を軽量なものにすることができ、物干し用カバーの取り付けがさらに容易になる。
従って、以上の点から、防雨性、通風性、透光性及び目隠し効果を向上することができるうえ、物干し用カバーの取り付けをさらに一層容易にすることができる。
（請求項３の効果）
請求項３記載の発明によれば、上記した請求項２記載の発明の効果に加え、次のような効果を奏する。
【００１９】
すなわち、請求項３記載の発明によれば、支持用端部プレートと中間プレートとの間を複数の側方カバー部で覆うようにし、且つ、これらの側方カバー部を折り畳めるようにしたので、洗濯物を干さない場合には、側方カバー部を折り畳むことにより、側方カバー部によって視界が遮られることがない。
これにより、アパート等の集合住宅の外壁に形成された窓の両側に、物干し竿を支持する支持具がそれぞれ設けられ、これら一対の支持具に物干し用カバーを取り付けた場合、洗濯物を干すときには、側方カバー部を展開して、洗濯物に目隠しをすることができる一方、洗濯物を干さないときには、側方カバー部を折り畳んで窓の片側に寄せれば、側方カバー部が窓を覆うことがなく、物干し用カバーを外さなくとも、窓から外を見る際の視界を充分確保することができる。
【００２０】
（請求項４の効果）
請求項４記載の発明によれば、上記した請求項３記載の発明の効果に加え、次のような効果を奏する。
すなわち、請求項４記載の発明によれば、一対の端部プレートの各々に、物干し竿を挿通させる竿挿通孔を設け、この竿挿通孔に挿通した物干し竿に端部プレートに加わる荷重を支持させるようにしたので、支持具に端部プレートを固定する線条固定具に大きな荷重が加わることがなく、線条固定具を女性でも容易に取り扱える太さのものにすることができ、この点からも、物干し用カバーの取り付けを容易にすることができる。
【００２１】
また、連結棒として、長手方向に伸縮可能なカーテンレールを採用したので、連結棒の長さが調整可能となり、物干し用カバーを取り付けるべき取付の対象毎に、一対の支持具の間隔が多少異なっていても、連結棒の長さを調整することで、取付対象となる一対の支持具に対応させることができる。
しかも、カーテンレールには、その長手方向に沿って摺動可能に設けられた複数のランナー部が備えられているので、カーテンレールに取り付けられる側方カバー部の数を増減でき、換言すれば、側方カバー部の数を調整することができ、これにより、一対の支持具の間隔が取付の対象毎に多少異なっていても、側方カバー部の数を調整することで、複数の側方カバー部が形成する全長を一対の支持具に間隔に対応させることができる。
【００２２】
従って、物干し用カバーの取付対象となる一対の支持具の間隔が個々の取付対象によって相違していても、物干し用カバーの取り付けに何ら支障が生じることがなく、物干し用カバーを支持具に容易に取り付けることができる。
（請求項５の効果）
請求項５記載の発明によれば、上記した請求項４記載の発明の効果に加え、次のような効果を奏する。
すなわち、請求項５記載の発明によれば、複数のランナー部を摺動可能に支持するカーテンレールを端部プレートの下端縁に設け、このカーテンレールを介して側方カバー部を取り付ることを可能としたので、必要に応じて、互いに対応するように配置された一対の端部プレートの下方、及び、互いに対応するように配置された一対の連結棒の下方に、側方カバー部を吊り下げて設置することができるようになり、これにより、洗濯物の四方を側方カバー部で覆うことができる。
【００２３】
従って、建物の屋上や庭等に一対の物干し台が露天設置され、これら一対の物干し台の支持具間に物干し竿が架け渡され、この物干し竿に洗濯物が干されている場合、洗濯物の上方を上方カバー部で覆うとともに、洗濯物の四方を側方カバー部で覆うことができるので、当該物干し台に洗濯物を干したまま外出し、その後に雨が降り出しても、洗濯物を降雨から保護することができる。
（請求項６の効果）
請求項６記載の発明によれば、上記した請求項１から請求項５までのいずれかに記載の発明の効果に加え、次のような効果を奏する。
【００２４】
すなわち、請求項６記載の発明によれば、上方カバー部の両側の端縁を支持用端部プレート及び中間プレートから取り外せるようにしたので、晴天時等、上方カバー部がない方が洗濯物の乾燥効率が良いと思われる場合には、上方カバー部を支持用端部プレート及び中間プレートから取り外し、これにより、洗濯物の乾燥効率を向上することができる。
（請求項７の効果）
請求項７記載の発明によれば、上記した請求項２記載の発明の効果に加え、次のような効果を奏する。
すなわち、請求項７記載の発明によれば、複数のスラットを吊り下げ支持している複数の支持コードと、最下位置に配置されるスラットが端部に結合されている昇降コードと、この昇降コードの巻き取る巻き取りリールを備えた側方カバー部を採用し、すべてのスラットを最上位置近傍に巻き上げ可能としたので、洗濯物を干さない場合には、スラットを上方に巻き上げれば、側方カバー部によって視界が遮られることがない。
【００２５】
これにより、アパート等の集合住宅の外壁に形成された窓の両側に、物干し竿を支持する支持具がそれぞれ設けられ、これら一対の支持具に物干し用カバーを取り付けた場合、洗濯物を干すときには、側方カバー部のスラットを最下位置まで展開して、洗濯物に目隠しをすることができる一方、洗濯物を干さないときには、側方カバー部のスラットを最上位置に巻き上げれば、側方カバー部が窓を覆うことがなく、物干し用カバーを外さなくとも、窓から外を見る際の視界を充分確保することができる。
【発明を実施するための最良の形態】
【００２６】
以下に、本発明を実施するための最良の形態である実施形態について、図面に基づいて説明する。
（第１実施形態）
図１〜図１６は、本発明の第１実施形態を示すものである。図１は、本第１実施形態に係る物干し用カバーの全体を示す斜視図、図２は、本第１実施形態に係る物干し用カバーの全体を示す平面図、図３は、本第１実施形態に係る物干し用カバーの全体を示す正面図、図４は、本第１実施形態に係る端部プレート及び中間プレレートを示す正面図、図５は、図４のＶ−Ｖ線における断面図、図６は、図４のVI−VI線における断面図、図７は、本第１実施形態に係る上方カバー部の端縁部分を示す拡大平面図、図８は、本第１実施形態に係る上方カバー部を示す拡大断面図、図９は、図４のIX−IX線における断面図、図１０は、本実施形態に係るカーテンレールを示す平面図、図１１は、本第１実施形態に係るカーテンレールを示す拡大断面図、図１２は、本第１実施形態に係る側方カバー部を示す正面図、図１３は、図１２のXIII−XIII線における断面図、図１４は、図１２のXIV−XIV線における断面図、図１５は、図１２のXV−XV線における断面図、図１６は、本第１実施形態に係るスラットを示す拡大断面図である。
【００２７】
本第１実施形態に係る物干し用カバー１は、図１〜図３の如く、集合住宅等の窓２の外側に干された洗濯物３を降雨から保護するためのものとなっている。
すなわち、集合住宅等の外壁４には、窓２の両側に配置されるとともに、当該外壁４の表面から屋外側へ突出する一対の支持具５が設けられている。そして、支持具５の間には物干し竿６が架け渡され、この物干し竿６に前述の洗濯物３が吊り下げられた状態で支持されている。
ここで、支持具５の各々には、物干し竿６の端部を内部に挿通させる支持孔5Aが複数形成されている。
【００２８】
物干し用カバー１は、物干し竿６に支持されている洗濯物３の上方及び側方をそれぞれ覆う上方カバー部20及び側方カバー部30を備え、これら上方カバー部20及び側方カバー部30で洗濯物３を降雨から保護できるように形成されたものである。
このような物干し用カバー１には、物干し竿６を支持する一対の支持具５のそれぞれに固定される一対の端部プレート10と、これら一対の端部プレート10の幅方向における両側の端部同士をそれぞれ連結するとともに、側方カバー部30を吊り下げて支持することが可能となっている一対の連結棒としてのカーテンレール11と、これら一対のカーテンレール11の途中部分に移動可能に支持される中間プレート12とが設けられている。
【００２９】
ここで、一対の端部プレート10のうちの一方の端部プレート10、具体的には、図１中左側の端部プレート10は、上方カバー部20を支持するための支持用端部プレート10A として利用されるものとなっている。
洗濯物３の上方を覆うための上方カバー部20は、支持用端部プレート10A と中間プレート12との間に架け渡された状態で、その対応する端縁がそれぞれ支持用端部プレート10A 及び中間プレート12に取り付けられている。
洗濯物３の側方を覆うための側方カバー部30は、一対のカーテンレール11のうちの一方のカーテンレール11、具体的には、図２中下方のカーテンレール11に吊り下げられた状態で支持されている。換言すると、一対のカーテンレール11のうち、図２中下方のカーテンレール11が、側方カバー部30を吊り下げた状態で支持している。
【００３０】
一対の端部プレート10及び中間プレート12は、設置箇所が相違するが、すべて同一の部材であり、同一の形状及び同一の構造を有している。
すなわち、端部プレート10及び中間プレート12の各々は、図４に示すように、正面形状が山形状となった略平板状の部材である。
そして、端部プレート10及び中間プレート12の各々には、細長い紐状に形成された線条固定具14（図１にのみ示す。）を内部に挿通させるために、そのほぼ全面にわたって多数の固定具挿通孔13が形成されている。なお、図４においては、図面を見やすくするために、固定具挿通孔13の記載を部分的に行っている。
【００３１】
一対の端部プレート10の各々は、ユーザーが当該端部プレート10を支持具５に固定するにあたり、多数設けられている固定具挿通孔13のなかから、支持具５への固定に利用できる適宜な固定具挿通孔13がユーザーによって選択され、選択された固定具挿通孔13に挿通された線条固定具14によって支持具５に固定されるようになっている。
ここで、線条固定具14としては、例えば、ポリ塩化ビニル樹脂等の被覆を有する針金、及び、インシュロック（商品名：ヘラマンタイトン株式会社の製品）等の合成樹脂製結束バンド等が採用できる。
一対の端部プレート10及び中間プレート12の各々は、物干し竿６を挿通させるために開口された複数の竿挿通孔15を有するものとなっている。物干し竿６は、竿挿通孔15の内面との間に隙間が形成可能な状態で、竿挿通孔15の内部に遊嵌されるようになっている。
以上において、一対の端部プレート10の各々には、図４からも明らかなように、細長い紐状に形成された線条固定具14を内部に挿通させるための孔であって、少なくとも竿挿通孔15の周囲を囲むように密集して配置された多数の固定具挿通孔13が設けられている。
【００３２】
そして、この竿挿通孔15の周囲には、図５に示すように、端部プレート10の両面から突出する筒状の補強部15A が形成されている。
ここで、物干し竿６は、その両側の端部がそれぞれ支持具５に支持されている。そして、端部プレート10は、線条固定具14で支持具５に固定されているが、線条固定具14によって回り止めを行う程度に固定されているだけである。これにより、物干し竿６は、片持ちの側方カバー部30の重さで物干し竿６を中心に回転しないようになっている。
換言すると、端部プレート10に加わる上方カバー部20及び側方カバー部30等の荷重は、その竿挿通孔15に挿通されている物干し竿６が支持するようになっている。
【００３３】
そして、端部プレート10における竿挿通孔15の周囲の部位は、端部プレート10に加わる荷重を竿挿通孔15に伝える部位となっており、この部位に前述の補強部15A が形成されている。この補強部15A により、端部プレート10に加わる荷重が大きくても、端部プレート10における竿挿通孔15の周囲の部位が割れることなく、この部位を通じて前述の荷重が端部プレート10に伝達されるようになっている。 
図４に戻って、端部プレート10及び中間プレート12には、その上端縁に沿うとともに、その両面から突出する突出部16A が形成されている。この突出部16A の内部に係止案内溝16が形成されている。換言すると、係止案内溝16は、端部プレート10及び中間プレート12のそれぞれの上端縁に沿って形成されたものとなっている。このような係止案内溝16は、図６に示すように、開口16B 側よりも底部16C 側が広がったものとなっている。
【００３４】
この係止案内溝16には、当該係止案内溝16に沿って摺動可能となった複数のランナー部材23が抜け止めされた状態で設けられている。
一方、上方カバー部20は、ポリ塩化ビニル等の合成樹脂製からなる透明シートを主部材として構成されたものである。この上方カバー部20における支持用端部プレート10A 及び中間プレート12に取り付けられる端縁21には、図７に示すように、所定の寸法Ａ又は寸法Ｂをおいて複数のランナー部材23が固定されている。
また、上方カバー部20には、端縁21の延びる方向において所定の間隔毎に、複数の折り曲げ部22が形成されている。これにより、上方カバー部20は、折り曲げ部22で折り曲げることにより、小さく折り畳むことが可能となっている。
【００３５】
そして、上方カバー部20は、図８に示すように、上方カバー部20の端縁21に設けられたランナー部材23を係止案内溝16の一方の端部側へ向かって移動させる、例えば、図８中の矢印Ｃ方向へ移動させることにより、係止案内溝16の一方の端部側に寄せて折り畳むことが可能となっている。
反対に、折り畳み状態の上方カバー部20は、上方カバー部20の端縁21に設けられたランナー部材23を係止案内溝16の他方の端部側へ向かって移動させる、例えば、図８中の矢印Ｄ方向へ移動させることにより、係止案内溝16の一方の端部側から他方の端部側まで広がった状態に展開することが可能となっている。
【００３６】
この際、係止案内溝16の両側の端部には、上方カバー部20に固定されたランナー部材23が係止案内溝16の端部開口から抜けないように、当該端部開口を塞ぐ図示しない抜け止め部材が取り付けられている。
そして、上方カバー部20に固定された複数のランナー部材23は、抜け止め部材を係止案内溝16の端部開口から外せば、係止案内溝16から抜き取ることが可能となっている。
これにより、上方カバー部20は、支持用端部プレート10A 及び中間プレート12のそれぞれから取り外し可能となっている。
図４に戻って、一対の端部プレート10及び中間プレート12の各々は、連結棒としてのカーテンレール11を嵌合させるために、その両端部分のそれぞれに開口された一対のレール挿通孔17を有するものとなっている。
【００３７】
そして、このレール挿通孔17の周囲には、図９に示すように、端部プレート10の両面から突出する筒状のレール受け部17A が形成されている。
このレール受け部17A は、端部プレート10の一方の面からの突出寸法Ｅが、他方の面からの突出寸法Ｆよりも大きくなっている。
ここで、物干し竿６が挿通される竿挿通孔15の周囲に形成された補強部15A の突出寸法、係止案内溝16が内部に形成されている突出部16A の突出寸法、及び、カーテンレール11が嵌合されるレール受け部17A の突出寸法Ｆは、ほぼ同じ寸法に設定されている。端部プレート10は、その両面から突出する突出部16A の部位うち、突出寸法Ｅを有する部位側が支持具５に固定されている。これにより、突出寸法Ｆに設定された突出部16A の部位が端部プレート10の固定の障害とならないようになっている。
【００３８】
カーテンレール11は、図１０に示すように、その両側の端部11A が他の部分よりも太くされ、カーテンレール11の一方の端部から他方の端部までの途中部分は、端部11A よりも細く、その外径がレール挿通孔17の内径よりも小さくなっている。
図９に戻って、レール挿通孔17の内径は、カーテンレール11の端部11A の外径とほぼ同じ寸法とされている。これにより、カーテンレール11は、その端部11A が端部プレート10のレール挿通孔17の内部に挿入されると、レール挿通孔17ときつく嵌合し、これにより、レール挿通孔17の端部11A が端部プレート10に固定されるようになっている。
また、カーテンレール11は、一方の端部11A から他方の端部11A までの途中部分が当該端部11A よりも細くされ、且つ、中間プレート12のレール挿通孔17の内部に挿通されるようになっている。これにより、中間プレート12は、レール挿通孔17の内部に挿通させたカーテンレール11に沿って摺動するようになっている。
【００３９】
なお、中間プレート12は、その竿挿通孔15の内部に物干し竿６が挿通されているが、竿挿通孔15は、その内径が物干し竿６の外径よりも充分大きく、内部に物干し竿６を遊嵌させ、これにより、中間プレート12の摺動に何ら支障が生じないようになっている。
カーテンレール11は、直径の異なる筒状に形成された内側筒部11B 及び外側筒部11C を備え、内側筒部11B が外側筒部11C の内部に挿入可能となったテレスコピック状のものであり、これにより、その長手方向に伸縮可能となっている。
このようなカーテンレール11には、図１１に示すように、その長手方向に沿って延びる開口であるスリット18が設けられている。このスリット18は、開口18A 側よりも底部18B 側が広がったものとなっている。
【００４０】
スリット11D には、Ｔ字形の側面形状を有する複数のランナー部19が抜け止めされた状態で摺動可能に設けられている。すなわち、ランナー部19は、カーテンレール11の内部に収納される摺動基部19A と、摺動基部19A からスリット11D を通ってカーテンレール11の外側へ突出する腕部19B とを備えたものとなっている。このうち、摺動基部19A は、スリット11D よりも太い部位であり、スリット11D を通り抜けられないようになっている。この摺動基部19A により、ランナー部19は、カーテンレール11に抜け止めされた状態で摺動可能に取り付けられている。
そして、ランナー部19に設けられている腕部19B の先端には、側方カバー部30を掛止させるために、環状に形成された掛止部19C が設けられている。
【００４１】
側方カバー部30は、図１及び図１２に示すように、支持用端部プレート10A と中間プレート12との間に複数配列可能となるように、複数のルーバー部31に分割されたものとなっている。
これらのルーバー部31の各々は、図１２及び図１３に示すように、略水平方向に延びる細長い薄板状に形成された複数のスラット32と、略四角形の枠状に形成された支持枠体33とを有したものである。
このうち、支持枠体33は、図１２中上方に配置された上辺部33A 、下方に配置された底辺部33B 、及び、その両側に配置された一対の側辺部33C で四角形状の枠体に組まれたものである。このような支持枠体33の上辺部33A の中央部分には、カーテンレール11に摺動可能に設けられているランナー部19の掛止部19C に掛止されるフック状の被掛止部34が回動可能に設けられている。
【００４２】
複数のスラット32は、その長手方向が水平にされるとともに、その幅方向に傾斜した状態で、支持枠体33の内部に配置されるとともに、その端部が支持枠体33の側辺部33C に固定され、これにより、支持枠体33に支持されている。
これらのるルーバー部31は、図１４及び図１５に示すように、互いに隣接する側辺部33C 同士が面状ファスナー35で連結されている。
ここで、面状ファスナー35は、連結面にループが形成されたループテープ35A と、連結面にフックが形成されたフックテープ35B とを有し、連結及び連結の解除が任意に行えるようになっている。このような面状ファスナー35としては、例えば、マジックテープ（株式会社クラレの登録商標）が採用できる。
【００４３】
これにより、連結されたルーバー部31同士は、連結及び連結を任意に解除することが可能となっている。
また、図１２左側のルーバー部31は、図１２における側辺部33C の裏側の面に配置された面状ファスナー35によって、中央のルーバー部31に連結され、且つ、図１２中右側のルーバー部31は、図１２における側辺部33C の表側の面に配置された面状ファスナー35によって互いに回動可能に連結されている。
そして、面状ファスナー35によって連結された複数のルーバー部31は、互い違いに折り曲げることが可能とされている。
【００４４】
これにより、側方カバー部30は、互いに回動可能に連結されたルーバー部31を支持用端部プレート10A 及び中間プレート12の一方側に寄せて小さく折り畳むことが可能とされ、且つ、小さく折り畳んだ状態から支持用端部プレート10A 及び中間プレート12の一方から他方まで広がった状態に展開することが可能となっている。
スラット32は、ポリカーボネートやアクリル樹脂等の透明な合成樹脂を押出成形して製造した中空の部材である。
すなわち、スラット32には、互いに対向して配置されている一対の側壁部36と、これら一対の側壁部36の間に配置されるとともに、これらの側壁部36を互いに連結する複数のリブ部37とが設けられ、長手方向に延びる複数の中空部38が形成されている。
【００４５】
また、スラット32は、幅方向の途中に曲がり部分が形成されたＬ字形状の幅方向断面を有する部材である。
このようなスラット32は、内部にリブ部37を有する中空構造、及び、Ｌ字形の断面形状により、非常に軽量でありながら高い剛性が確保されたものとなっている。
そして、上下に配列された複数のスラット32は、正面から見ると、上下方向における端縁同士が一部重なり合うが、互いの間に隙間Ｇが形成されるように配置されている。
この際、側方カバー部30の屋外側（図１６中右側）の斜め上方から斜め下方に進行する光Ｌ１は、スラット32の内部に形成されているリブ部37の間を通ることができるので、殆ど散乱されることなくスラット32を透過可能となっている。これにより、太陽光（Ｌ１）は、側方カバー部30のスラット32を透過して、側方カバー部30の室内側に配置された洗濯物３まで到達するようになっている。
【００４６】
なお、上方カバー部20のほぼ真上から太陽光が進行してくる場合、当該太陽光は、透明シートからなる上方カバー部20を透過して、洗濯物３まで到達するようになっている。
また、屋外側からの気流（風）Ｗは、複数のスラット32の間に隙間Ｇをすり抜けて、側方カバー部30の室内側に配置された洗濯物３まで到達するようになっている。
これにより、晴天時には、気流Ｗ及び太陽光を良く通すので、洗濯物３を効率よく乾燥させることができるようになっている。
一方、側方カバー部30の室内側（図１６中右側）から水平に進行する光Ｌ２は、スラット32内部のリブ部37によって散乱されるようになっている。これにより、側方カバー部30の室内側に配置されている洗濯物３が屋外側から視認できないようになっている。
【００４７】
この際、光の散乱をさらに著しくするために、スラット32の側壁部36及びリブ部37の表面に凹凸を設けてもよい。
また、幅方向に傾斜した状態で上下方向に配列されている複数のスラット32により、降雨による雨滴Ｈが、側方カバー部30のスラット32の表面に付着しても、この雨滴Ｈは、スラット32の傾斜した表面に沿って下方へ落ちていくようになっている。
これにより、雨滴Ｈは、スラット32の傾斜した表面を登っていって隙間Ｇに達することがなく、従って、隙間Ｇを通って側方カバー部30の室内側へ進入することはなく、このため、雨滴Ｈが隙間Ｇに到達することがなく、降雨時に洗濯物３が濡れるのを未然に防止できるようになっている。
【００４８】
前述のような本第１実施形態によれば、次のような効果が得られる。
すなわち、線条固定具14を内部に挿通させるための固定具挿通孔13として、少なくとも竿挿通孔15の周囲を囲むように密集して配置されたものを多数設けたので、物干し竿６を支持する支持具５に端部プレート10を固定するにあたり、多数の固定具挿通孔13の中から、支持具５に端部プレート10を固定するのに相応しいものを適宜選択できる。ここで、支持具５に端部プレート10を固定するのに相応しい固定具挿通孔13を複数選択し、選択した固定具挿通孔13に線条固定具14を挿通し、さらに、支持具５に巻き付け、これにより、端部プレート10の適宜な箇所（例えば、適宜な２箇所等）を支持具５に固定すれば、端部プレート10の片側に荷重が加わっても、端部プレート10が傾いたりせず、端部プレート10を支持具５に充分強固、且つ、容易に固定することができる。そのうえ、端部プレート10に多数の固定具挿通孔13を設けたので、端部プレート10の軽量化を図ることができ、しかも、物干し竿６を支持する支持具５は、女性でも手の届く高さレベルにあるので、端部プレート10の支持具５への固定作業は、女性でも容易に行うことができる。
【００４９】
そして、一対の支持具５に端部プレート10をそれぞれ固定することができれば、中間プレート12を取り付けた状態のカーテンレール11を一対の端部プレート10の間に架け渡して固定した後、片側の支持用端部プレート10A と中間プレート12との間に上方カバー部20を架け渡して固定するとともに、一方のカーテンレール11に側方カバー部30を吊り下げれば、難しい作業を何ら行うことなく、物干し用カバー１の取り付けが完了するので、女性でも物干し用カバー１の組立作業及び取付作業を容易に行うことができる。
また、複数のリブ部37で両側の側壁部36を連結した中空構造を備えるとともに、幅方向の途中に折れ曲がり部分を有するＬ字形の幅方向断面を有するスラット32を採用したので、スラット32は、高剛性であるにもかかわらず、非常に軽量にすることができる。
【００５０】
このような中空のスラット32同士の間に隙間Ｇを設けるとともに、複数のスラット32を上下方向に配列し、且つ、その幅方向にスラット32を傾斜させ、この状態で、複数のスラット32を支持枠体33の内部に固定したので、雨滴Ｈは、複数のスラット32の隙間Ｇを通過できないが、気流Ｗは、複数のスラット32の隙間Ｇを通過することができ、これにより、良好な防雨性及び通風性を確保することができる。
ここで、内部にリブ部37が設けられている中空のスラット32は、傾斜させることにより、水平に進行する光Ｌ２を内部のリブ部によって散乱されるので、表面に凹凸を設ける等により透明度を著しく低下させなくとも、充分な目隠し効果が得られる一方、スラット32の表面に垂直に進入する光Ｌ１に対する透明度は充分に確保でき、斜め上方から照射される太陽光Ｌ１を良く通すことができる。
【００５１】
これにより、斜め上方から照射される太陽光（Ｌ１）に対する透光性が充分確保され、太陽光（Ｌ１）による洗濯物３の乾燥効果が増強されるので、通風性と相俟って洗濯物３の乾燥効果をさらに一層向上させることができる。
そのうえ、このような側方カバー部30は、中空のスラット32が非常に軽量で高い剛性を有しているので、支持枠体33のみで剛性を確保する必要がなく、これにより、側方カバー部30全体を軽量なものにでき、ひいては、物干し用カバー１を軽量にでき、この点からも、物干し用カバー１の取り付けをさらに容易にすることができる。
従って、本実施形態によれば、防雨性、通風性、透光性及び目隠し効果を確保しつつ、物干し用カバー１の容易な取り付けを実現できるうえ、防雨性、通風性、透光性及び目隠し効果を従来のものよりも向上することができ、且つ、物干し用カバー１の取り付けをさらに一層容易にすることができる。
【００５２】
さらに、支持用端部プレート10A と中間プレート12との間を複数の側方カバー部30で覆うようにするために、側方カバー部30を複数のルーバー部31に分割し、且つ、これらのルーバー部31を折り畳んで側方カバー部30が小さくなるようにしたので、洗濯物３を干さない場合には、側方カバー部30を小さく折り畳むことにより、物干し用カバー１を設置したままでも、側方カバー部30によって視界が遮られることがない。
これにより、アパート等の集合住宅の外壁４に形成された窓２の両側に、物干し竿６を支持する支持具５がそれぞれ設けられ、これら一対の支持具５に物干し用カバー１を取り付けた場合、洗濯物３を干すときには、側方カバー部30を展開して、洗濯物３に目隠しをすることができる一方で、洗濯物３を干さないときには、側方カバー部30を折り畳んで窓２の片側に寄せれば、側方カバー部30が窓２を覆うことがなく、物干し用カバー１を外さなくとも、窓２から外を見る際の視界を充分確保することができる。
【００５３】
また、一対の端部プレート10の各々に、物干し竿６を挿通させる竿挿通孔15を設け、この竿挿通孔15に挿通した物干し竿６に端部プレート10に加わる荷重を支持させるようにしたので、支持具５に端部プレート10を固定する線条固定具14に大きな荷重が加わることがなく、線条固定具14を女性でも容易に取り扱える太さのものにすることができ、この点からも、物干し用カバー１の取り付けを容易にすることができる。
そして、連結棒として、長手方向に伸縮可能なカーテンレール11を採用したので、カーテンレール11の長さが調整可能となり、物干し用カバー１を取り付けるべき取付の対象毎に、一対の支持具５の間隔が多少異なっていても、カーテンレール11の長さを調整することで、取付対象となる一対の支持具５に対応させることができる。
【００５４】
しかも、カーテンレール11には、その長手方向に沿って摺動可能に設けられた複数のランナー部19が備えられているので、取付対象となる一対の支持具５に応じた長さのカーテンレール11に側方カバー部30を取り付けるにあたり、カーテンレール11に取り付けられる側方カバー部30のルーバー部31の数を増減でき、換言すれば、側方カバー部30のルーバー部31の数を調整することができる。
これにより、一対の支持具５の間隔が取付の対象毎に多少異なっていても、側方カバー部30のルーバー部31の数を調整することで、複数のルーバー部31を備えた側方カバー部30の全長を一対の支持具５に間隔に対応させることができる。
【００５５】
従って、物干し用カバー１の取付対象となる一対の支持具５の間隔が個々の取付対象によって相違していても、物干し用カバー１の取り付けに何ら支障が生じることがなく、物干し用カバー１を支持具５に容易に取り付けることができる。
さらに、上方カバー部20の両側の端縁21を支持用端部プレート10A 及び中間プレート12から取り外せるようにしたので、晴天時等、上方カバー部20がない方が洗濯物３の乾燥効率が良いと思われる場合には、上方カバー部20を支持用端部プレート10A 及び中間プレート12から取り外し、これにより、洗濯物３の乾燥効率を向上することができる。
また、上方カバー部20を折り畳み可能とし、且つ、支持用端部プレート10A 及び中間プレート12の上端縁に、当該上端縁に沿って延びるとともに、開口16B 側よりも底部16C 側が広がった係止案内溝16を設け、この係止案内溝16に、複数のランナー部材23を摺動可能に設け、さらに、これらのランナー部材23を上方カバー部20の各端縁21に所定間隔で設けたので、上方カバー部20は、係止案内溝16の一方の端部側から他方の端部側まで広がった状態に展開させることも、係止案内溝16の一方の端部側に寄せて折り畳んだ状態にすることも可能となる。
【００５６】
これにより、晴天時等、上方カバー部20を係止案内溝16の一方の端部側に寄せて折り畳んだ状態にすれば、太陽光を直接洗濯物３に照射させることができ、洗濯物３の乾燥効率を向上することができるうえ、使用しないために取り外した上方カバー部20を置いておくスペースを確保する必要もなくなるので、物干し用カバー１の使い勝手を向上させることができる。
なお、前記第１実施形態においては、次のような変形も可能である。
例えば、前記第１実施形態では、一対の端部プレート10の一方のみを、支持用端部プレート10A としたが、これに限らず、図１７に示すように、一対の端部プレート10の両方を支持用端部プレート10A としてもよい。このようにすれば、中間プレート12の両側に上方カバー部20及び側方カバー部30を設けることができ、一方の支持具５から他方の支持具５まで達する物干し用カバー１を形成することができる。
【００５７】
また、前記第１実施形態では、一対の端部プレート10の間にカーテンレール11を配置したが、端部プレート10及び中間プレート12の下端縁に沿って、それぞれカーテンレール11を配置するとともに、これらの下端縁にそれぞれカーテンレール11を取り付けてもよい。
このようにすれば、図１８に示すように、一対の端部プレート10の間に配置されている一対のカーテンレール11の各々に側方カバー部30を取り付ることができるうえ、端部プレート10及び中間プレート12の下端縁に沿ってそれぞれ配置された一対のカーテンレール11の各々にも、側方カバー部30を取り付ることができ、これにより、洗濯物３の四方を側方カバー部30で覆うことができる。
【００５８】
従って、建物の屋上や庭等に一対の物干し台７が露天設置され、これら一対の物干し台７の支持具7A間に物干し竿６が架け渡され、この物干し竿６に洗濯物３が干されている場合、洗濯物３の上方を上方カバー部20で覆うとともに、洗濯物３の四方を側方カバー部30で覆うことができるので、当該物干し台７に洗濯物３を干したまま外出し、その後に、雨が降り出しても、洗濯物３を降雨から保護することができる。
（第２実施形態）
図１９乃至図２６は、本発明の第２実施形態を示すものである。すなわち、図１９は、本第２実施形態に係る物干し用カバーの全体を示す平面図、図２０は、本第２実施形態に係る物干し用カバーの全体を示す正面図、図２１は、本第２実施形態に係る端部プレート及び中間プレレートを示す正面図、図２２は、図２１のXXII−XXII線における断面図、図２３は、本第２実施形態に係る連結棒を示す一部破断した側面図、図２４は、本第２実施形態に係る上方カバー部を示す平面図、図２５は、本第２実施形態に係る側方カバー部を示す断面図、図２６は、本第２実施形態に係るスラットの要部を示す拡大斜視図である。
【００５９】
本第２実施形態は、前記第１実施形態における支持用端部プレート10A 及び中間プレート12に両端部分が支持させた上方カバー部20を、連結棒に側縁部分が支持された上方カバーとしたものである。
また、本第２実施形態は、前記第１実施形態における複数のルーバー部31の水平移動により開閉可能となった側方カバー部30を、複数のスラットの昇降により開閉可能となった側方カバー部としたものでもある。
すなわち、本第２実施形態に係る物干し用カバー1Aは、図１９及び図２０に示すように、一対の支持具５のそれぞれに固定される一対の端部プレート40と、これらの端部プレート40同士をそれぞれ連結する３本の連結棒41と、これらの連結棒41の途中部分に移動可能に支持される中間プレート42とを有するものとなっている。
【００６０】
ここで、３本の連結棒41のうち、物干し竿６の両側に配置された２本の連結棒41は、一対の端部プレート40の幅方向における両側の端部同士をそれぞれ連結するとともに、側方カバー部60を吊り下げて支持することが可能となっている一対の連結棒として設けられたものである。
上方カバー部50は、一対の端部プレート40のうち、図１９中左側の端部プレート40、中間プレート42、及び、物干し竿６の両側に配置された一対の連結棒41に囲まれた空間を覆うものとなっている。
側方カバー部60は、建物の窓に設けられているブラインドとほぼ同じ構造を有するものである。この側方カバー部60は、その上方の両角隅部分に設けられている後述の連結具61（図25参照）を介して、図１９中最下方の連結棒41に連結されている。換言すると、３本の連結棒41のうち、図２中最下方の連結棒41は、側方カバー部60を吊り下げた状態で支持するものとなっている。
【００６１】
このようなブラインド構造の側方カバー部60は、上下方向に配列された複数のスラット62と、これらのスラット62の昇降操作を行うための操作用コード63とを有したものとなっている。
一対の端部プレート40及び中間プレート42は、設置箇所が相違するが、同一の形状及び同一の構造を有する部材である。
すなわち、端部プレート40及び中間プレート42の各々は、図２１に示すように、二等辺三角形状の部位と、この二等辺三角形状の部位の底辺に結合された楕円状の部位とを有する平面形状、例えると、笠を被った人間の頭部のような正面形状を有するほぼ平板状に形成された部材である。
【００６２】
端部プレート40及び中間プレート42の各々には、細長い紐状に形成された前述の線条固定具14（図１参照）を内部に挿通させるために、そのほぼ全面にわたって多数の固定具挿通孔13が形成されている。
一対の端部プレート40の各々は、ユーザーが当該端部プレート40を支持具５に固定するにあたり、多数設けられている固定具挿通孔13のなかから、支持具５への固定に利用できる適宜な固定具挿通孔13がユーザーによって選択され、選択された固定具挿通孔13に挿通された線条固定具14によって支持具５に固定されるようになっている。
一対の端部プレート40及び中間プレート42の各々は、物干し竿６を挿通させるために開口された竿挿通孔15を有するものとなっている。物干し竿６は、竿挿通孔15の内面との間に隙間が形成可能な状態で、竿挿通孔15の内部に遊嵌されるようになっている。
【００６３】
また、一対の端部プレート40及び中間プレート42の各々は、連結棒41を嵌合させるために、その二等辺三角形状の部位における三つの頂点近傍にそれぞれ開口された三つの連結棒挿通孔47を有するものとなっている。
そして、一対の端部プレート40及び中間プレート42の各々には、図２２にも示すように、連結棒挿通孔47に対して進退する方向に固定ネジ47A が螺号されている。連結棒挿通孔47の内部に連結棒41を挿通させた状態で、端部プレート40又は中間プレート42に螺号させた固定ネジ47A を締め付けることにより、端部プレート40又は中間プレート42に連結棒41が固定されるようになっている。
【００６４】
この際、連結棒41の外径が部位によって相違する場合でも、固定ネジ47A の締め付けにより、連結棒41は、外径によらず連結棒挿通孔47の内部に固定することが可能となっている。
連結棒41は、図２３に示すように、外径の異なる二つ筒状部材41A, 41Bを備え、太い方の筒状部材41A の内部に、細い方の筒状部材41B を挿入し、これによりテレスコピック状に伸縮可能とされたものである。
連結棒41の両端部の開口には、その周面とほぼ同一の円筒面を形成する周面を有する鍔部41C が設けられたプラグ部材41D がそれぞれ挿入されている。これらのプラグ部材41D によって、連結棒41の両端部の開口が塞がれている。
【００６５】
一方、上方カバー部50は、ポリ塩化ビニル等の合成樹脂製からなるシート部材を主部材として構成されたものである。
さらに詳しく説明すると、上方カバー部50は、物干し竿６の両側に配置された２本の連結棒41の対応する両端に、これらの連結棒41がそれぞれ内部に挿通可能となった筒状に形成された筒状部51を備えたものである。筒状部51は、合成樹脂製からなるシート部材の端縁を内側に折り返して、当該シート部材の内側部分に熱溶着することにより形成されたものである。
側方カバー部60は、図２０及び図２５に示すように、略水平方向に延びる細長い薄板状に形成された複数のスラット62を備えたものである。
【００６６】
このような側方カバー部60は、図２５に示すように、複数のスラット62を吊り下げ支持する複数の支持コード64A と、これらのスラット62を昇降させるための昇降コード64B と、この昇降コード64B を巻き取るための巻き取りリール65A と、この巻き取りリール65A を内部に収納するヘッドボックス部65とを備えている。
支持コード64A は、一端がヘッドボックス部65に結合され、他端に最下位置のスラット62L が結合され、さらに、その間に複数のスラット62が所定の間隔毎に結合されたものとなっている。換言すると、複数のスラット62は、このような支持コード64A を介して、互いに所定の間隔をおいて上下方向に配列された状態でヘッドボックス部65に吊り下げ支持可能となっている。
【００６７】
昇降コード64B は、複数のスラット62のうち、最下位置のスラット62L が端部に結合され、このスラット62L が当該最下位置に配置されている状態で、巻き取りリール65A に巻き取られていくと、支持コード64A に等間隔に結合された複数のスラット62を、最下位置のスラット62L から順次上方へ巻き上げるものとなっている。
逆に、昇降コード64B は、すべてのスラット62が巻き上げられた状態で、巻き取りリール65A から送り出されていくと、複数のスラット62を、最下位置のスラット62L から順次下方へ降下させていくものとなっている。
巻き取りリール65A は、操作用コード63を所定の方向へ操作すると、昇降コード64B の巻き取り動作を行い、操作用コード63を逆方向へ操作すると、昇降コード64B の送り出し動作を行うように形成されたものである。
【００６８】
ヘッドボックス部65は、操作用コード63に加わる操作力を、巻き取りリール65A に伝達するリンク機構が内部に設けられたものとなっている。
また、ヘッドボックス部65の上面には、前述した逆U字形の連結具61が結合されている。この連結具61には、連結棒41が挿通され、これにより、ヘッドボックス部65が連結棒41に吊り下げ支持され、ひいては、側方カバー部60全体が連結棒41に吊り下げ支持されるようになっている。
スラット62は、ポリカーボネートやアクリル樹脂等の透明な合成樹脂を押出成形して製造した中空の部材である。
【００６９】
すなわち、スラット62は、前記第１実施形態におけるスラット32と同様に、図２６の如く、互いに対向して配置されている一対の側壁部66と、これらの側壁部66を互いに連結する複数のリブ部67と、長手方向に延びる複数の中空部68とを備えたものとなっている。
図２５に戻って、スラット62は、幅方向の途中に曲がり部分が形成されて、二つの辺62A, 62Bを有する逆V字形状の幅方向断面を有する部材である。
このようなスラット62は、内部にリブ部67を有する中空構造、及び、逆V字形状の断面形状により、非常に軽量でありながら高い剛性が確保されたものとなっている。
そして、このようなスラット62は、上下に複数配列されることにより、逆V字形状の屋外側の辺62A が屋外正面からの視線α及び屋外斜め上方からの視線βを遮断し、逆V字形状の室内側の辺62B が屋外斜め下方からの視線γを遮断するようになっている。
【００７０】
また、スラット62の端部には、中空部68の内部に雨水等が浸入しないように、端部開口を塞ぐ閉塞部材69が設けられている。この閉塞部材69は、スラット62に応じて逆V字形状の断面形状を有するものとなっている。
閉塞部材69には、支持コード64A が挿通されているとともに、移動不可能となるように支持コード64A を固定している固定孔69A と自由に移動可能な状態で昇降コード64B が内部に挿通されている挿通孔69B とが形成されている。
なお、最下位置のスラット62L の挿通孔69Bには、昇降コード64B の端部が挿通されているが、昇降コード64B が移動不可能となるように、その端部が固定・結合されている。
【００７１】
このような本第２実施形態によっても、前記第１実施形態と同様の作用効果を達成することができる。
なお、本発明は、前記第１及び第２実施形態に限定されるものではなく、本発明の目的を達成できる範囲における変形及び改良などをも含むものである。
すなわち、側方カバー部としては、複数のスラットを上下方向に配列したブラインド構造のものに限らず、例えば、透光性を有するが不透明の合成樹脂製シートに、風圧で外側に開くフラップの付いた通風口が形成され、これにより、洗濯物を雨水から守る防雨性、フラップの付いた通風口等による通風性、及び、太陽光を通す透光性のすべてが確保された側方カバー部、あるいは、細長い合成樹脂製のパイプが多数上下方向に配列された簾状の側方カバー部でもよく、要するに、防雨性、通風性、透光性及び目隠し効果が確保できれば、側方カバー部の具体的構造は、実施にあたり適宜選択することができる。
【図面の簡単な説明】
【００７２】
【図１】本発明の一実施形態に物干し用カバーの全体を示す斜視図である。
【図２】前記実施形態に係る物干し用カバーの全体を示す平面図である。
【図３】前記実施形態に係る物干し用カバーの全体を示す正面図である。
【図４】前記実実施形態に係る端部プレート及び中間プレレートを示す正面図、
【図５】図４のＶ−Ｖ線における断面図である。
【図６】図４のVI−VI線における断面図である。
【図７】前記実施形態に係る上方カバー部の端縁部分を示す拡大平面図である。
【図８】前記実施形態に係る上方カバー部を示す拡大断面図である。
【図９】図４のIX−IX線における断面図である。
【図１０】前記実施形態に係るカーテンレールを示す平面図である。
【図１１】前記実施形態に係るカーテンレールを示す拡大断面図である。
【図１２】前記実施形態に係る側方カバー部を示す正面図である。
【図１３】図１２のXIII−XIII線における断面図である。
【図１４】図１２のXIV−XIV線における断面図である。
【図１５】図１２のXV−XV線における断面図である。
【図１６】前記実施形態に係るスラットを示す拡大断面図である。
【図１７】本発明の変形例を示す図３に相当する図である。
【図１８】本発明の異なる変形例を示す図１に相当する図である。
【図１９】本発明の第２実施形態に係る物干し用カバーの全体を示す平面図である。
【図２０】前記第２実施形態に係る物干し用カバーの全体を示す正面図である。
【図２１】前記第２実施形態に係る端部プレート及び中間プレレートを示す正面図である。
【図２２】図２１のXXII−XXII線における断面図である。
【図２３】前記第２実施形態に係る連結棒を示す一部破断した側面図である。
【図２４】前記第２実施形態に係る上方カバー部を示す平面図である。
【図２５】前記第２実施形態に係る側方カバー部を示す断面図である。
【図２６】前記第２実施形態に係るスラットの要部を示す拡大斜視図である。
【符号の説明】
【００７３】
１, 1A    物干し用カバー
３        洗濯物
５        支持具
６        物干し竿
10, 40    端部プレート
10A     支持用端部プレート
11        連結棒としてのカーテンレール
12, 42    中間プレート
13        固定具挿通孔
14        線条固定具
15        竿挿通孔
19        ランナー部
20, 50    上方カバー部
21        上方カバー部の端縁
22        上方カバー部の折り曲げ部
23        ランナー部材
30, 60    側方カバー部
32, 62    スラット
33        支持枠体
36        側壁部
37        リブ部
41        連結棒
64A       支持コード
64B       昇降コード
65A       巻き取りリール
【図１】
0005038809.tif 000002
【図２】
0005038809.tif 000003
【図３】
0005038809.tif 000004
【図４】
0005038809.tif 000005
【図５】
0005038809.tif 000006
【図６】
0005038809.tif 000007
【図７】
0005038809.tif 000008
【図８】
0005038809.tif 000009
【図９】
0005038809.tif 000010
【図１０】
0005038809.tif 000011
【図１１】
0005038809.tif 000012
【図１２】
0005038809.tif 000013
【図１３】
0005038809.tif 000014
【図１４】
0005038809.tif 000015
【図１５】
0005038809.tif 000016
【図１６】
0005038809.tif 000017
【図１７】
0005038809.tif 000018
【図１８】
0005038809.tif 000019
【図１９】
0005038809.tif 000020
【図２０】
0005038809.tif 000021
【図２１】
0005038809.tif 000022
【図２２】
0005038809.tif 000023
【図２３】
0005038809.tif 000024
【図２４】
0005038809.tif 000025
【図２５】
0005038809.tif 000026
【図２６】
0005038809.tif 000027